(57)【要約】【課題】雪割りによって抵抗力を小さくして滑雪させることができる滑雪装置を提供する。【解決手段】建物１の屋根１０に設置される滑雪装置２である。この滑雪装置２は、建物１の一方の軒先部１０ｂ及び他方の軒先部１０ｃにおいて、それぞれ屋根１０面よりも上方に配置される一方のガイドローラ３及び他方のガイドローラ３と、一方のガイドローラ３から建物の棟部１０ａを経て他方のガイドローラ３まで連続して敷設されるシート４と、シート４を引っ張る張力発生手段５であって、一方のガイドローラ３と他方のガイドローラ３の間でシート４が緩んだ弛緩状態とシート４が張った緊張状態とを発生させる張力発生手段５と、を備えている。【選択図】図１
2018066133.tif 000002
【特許請求の範囲】
【請求項１】
建物の屋根に設置される滑雪装置であって、
建物の一方の軒先部及び他方の軒先部において、それぞれ屋根面よりも上方に配置される一方のガイドローラ及び他方のガイドローラと、
前記一方のガイドローラから建物の棟部を経て前記他方のガイドローラまで連続して敷設されるシートと、
前記シートを引っ張る張力発生手段であって、前記一方のガイドローラと前記他方のガイドローラの間で前記シートが緩んだ弛緩状態と前記シートが張った緊張状態とを発生させる張力発生手段と、を備える滑雪装置。
【請求項２】
前記シートは、軒方向に複数に分割されているとともに、前記張力発生手段は、シートごとに複数設置されている、請求項１に記載された滑雪装置。
【請求項３】
前記張力発生手段は、隣接する前記シートの前記張力発生手段に対して、所定の時間差をつけて前記シートを引っ張って緊張状態にするようになっている、請求項２に記載された滑雪装置。
【請求項４】
前記シートは、隣接する前記シートとの間に、軒方向に所定の隙間を有するように構成されている、請求項２又は請求項３に記載された滑雪装置。
【請求項５】
前記ガイドローラの軒方向の幅は、前記シートの軒方向の幅よりも狭くなるように形成されている、請求項１乃至請求項４のいずれか一項に記載された滑雪装置。
【発明の詳細な説明】
【技術分野】
【０００１】
本発明は、屋根に積もった雪を滑らせて下ろす滑雪装置に関するものである。
【背景技術】
【０００２】
従来から、積雪地帯においては、冬季において屋根に積もった雪の雪下ろしを人力で行っていた。しかしながら、雪下ろしなどの除雪作業は重労働であるうえ危険な作業でもある。そのため、住宅等の建物における屋根の除雪装置や除雪方法として、様々な構造のものが提案されている。
【０００３】
このような除雪装置の１つとして、例えば特許文献１には、滑雪シート１と、滑雪シート１の両端縁から延びるロープ２と、ロープ２に巻取具４を介して接合される重し７とから構成される滑雪装置が開示されている。この構成によって、滑雪シート１を緊張状態に保持して、屋根に積もった雪を滑らせて排除することができる。
【先行技術文献】
【特許文献】
【０００４】
【特許文献１】特開２００７−２１７９８３号公報
【発明の概要】
【発明が解決しようとする課題】
【０００５】
しかしながら、特許文献１の滑雪装置では、滑雪の抵抗力として摩擦力を重視しているが、実際には滑雪の抵抗力として雪どうしの付着力が支配的であることがわかっている。そのため、滑雪の抵抗力を小さくするためには、雪どうしを分断する「雪割り」をすることが重要である。
【０００６】
そこで、本発明は、雪割りによって抵抗力を小さくして滑雪させることができる滑雪装置を提供することを目的としている。
【課題を解決するための手段】
【０００７】
前記目的を達成するために、本発明の滑雪装置は、建物の屋根に設置される滑雪装置であって、建物の一方の軒先部及び他方の軒先部において、それぞれ屋根面よりも上方に配置される一方のガイドローラ及び他方のガイドローラと、前記一方のガイドローラから建物の棟部を経て前記他方のガイドローラまで連続して敷設されるシートと、前記シートを引っ張る張力発生手段であって、前記一方のガイドローラと前記他方のガイドローラの間で前記シートが緩んだ弛緩状態と前記シートが張った緊張状態とを発生させる張力発生手段と、を備えている。
【発明の効果】
【０００８】
このように、本発明の滑雪装置は、建物の屋根に設置される滑雪装置であって、建物の一方の軒先部及び他方の軒先部において、それぞれ屋根面よりも上方に配置される一方のガイドローラ及び他方のガイドローラと、一方のガイドローラから建物の棟部を経て他方のガイドローラまで連続して敷設されるシートと、シートを引っ張る張力発生手段であって、一方のガイドローラと他方のガイドローラの間でシートが緩んだ弛緩状態とシートが張った緊張状態とを発生させる張力発生手段と、を備えている。このような構成であれば、雪割りを促進することによって雪どうしの付着力を小さくして、屋根に積もった雪を滑雪させることができる。
【図面の簡単な説明】
【０００９】
【図１】建物の全体の構成を説明する斜視図である。
【図２】建物の全体の構成を説明する側面図である。
【図３】滑雪装置の構成を説明する説明図である。
【図４】ガイドローラとシートの幅について説明する説明図である。
【図５】滑雪装置の弛緩状態の作用を説明する作用図である。
【図６】滑雪装置の緊張状態の作用を説明する作用図である。
【発明を実施するための形態】
【００１０】
以下、本発明の実施の形態について図面を参照して説明する。
【実施例】
【００１１】
まず、図１、図２を用いて本発明の滑雪装置２を備える建物１の全体構成を説明する。建物１は、図１に示すように、切妻屋根である屋根１０を備えている。切妻屋根（gable roof）は、屋根１０の最頂部の棟部１０ａから地上に向かって、２つの傾斜面が本を伏せたような山形の形状をした屋根である。積雪の多い地帯においては、屋根１０の上に雪が積もりにくく、雪の重量による倒壊の危険が小さいため、切妻屋根が比較的に多くみられる。なお、屋根１０は、切妻屋根に限定されるものではなく、途中で勾配が変化する棟部を有するものであればどのような形式であってもよく、例えば寄棟屋根や入母屋屋根などにも本発明の滑雪装置２を適用することができる。
【００１２】
そして、本実施例の建物１の屋根１０には、滑雪装置２が設置されている。滑雪装置２は、図３に示すように、ガイドローラ３と、シート４と、張力発生手段としてのエアシリンダ５と、によって構成されている。なお、建物１の屋根１０全体では、滑雪装置２は、軒方向に並ぶように３枚のシート４、・・・と、それに対応して６本のガイドローラ３、・・・と、６本のエアシリンダ５、・・・と、を備えている。さらに、図示しないが、エアシリンダ５が配置された側と反対側の軒先部１０ｃには、シート４を巻き取るために３つの巻き取りリール８が設置されている。
【００１３】
ガイドローラ３は、建物１の一方の軒先部１０ｂ及び他方の軒先部１０ｃにおいて、それぞれ屋根１０の表面よりも上方に突出して配置されている（図５、６も参照のこと）。具体的には、ガイドローラ３の屋根１０の表面からの突出量は、１００（ｍｍ）から１５０（ｍｍ）とされることが好ましい。ガイドローラ３は、建物１の軒桁に取り付けられた枠体７０から延びる支持体７１に支承される回転軸を中心として回転できるようになっている。そして、ガイドローラ３を覆うように上方にシート４が設置されており、ガイドローラ３は、シート４の屋根勾配方向への往復移動を円滑にするようになっている。
【００１４】
シート４は、一方の軒先部１０ｂから反対側の他方の軒先部１０ｃまで屋根１０を覆うことのできる長さの四角形のシートである。シート４の幅Ｗｓは、１０００（ｍｍ）から３０００（ｍｍ）程度であり、好ましくは１０００（ｍｍ）から２０００（ｍｍ）である。さらに、シート４の幅Ｗｓは、ガイドローラ３の幅Ｗｒよりも長くされていることが好ましい。これにより、図４に示すように、シート４の軒方向左右の端縁（脇）は、ガイドローラ３がないことで屋根１０の表面に垂れ下がる状態となり、屋根１０の表面と緊張状態のシート４の側面の隙間を塞いで風の浸入によるシート４の浮き上がりや雪の浸入を防止している。さらに、ガイドローラ３が緊張状態のシート４から受ける反力を低減することができる。また、シート４は、隣接するシート４との間に軒方向に所定の隙間を有するように構成されている。
【００１５】
シート４の一方の端部には、図３に示すように、エアシリンダ５に連結されたバー６が取り付けられ、他方の端部は巻取リール８に巻き取られて固定されている。したがって、冬期以外の屋根１０への積雪を考慮しなくてよい期間には、巻き取りリール８の内部にシート４の略全体が巻き取られて収納される。後述するように、エアシリンダ５が伸びると、シート４は弛緩状態となって屋根１０の表面に沿うようになり、エアシリンダ５が縮むと、シート４は緊張状態となって棟部１０ａと軒先部１０ｂ（１０ｃ）のガイドローラ３との間でぴんと張った状態となる。さらに、シート４は、エアシリンダ５のストローク分だけ往復移動（又は振動、搖動）するため、屋根１０の頂点である棟部１０ａ近傍では、棟部１０ａを折れ線としてシート４は山折りに曲がりつつ往復移動するようになる。
【００１６】
シート４の材質は、可撓性があり軽量で所定の強度と表面の滑らかさを有していれば、限定されるものではない。例えば、高密度ポリエチレン、ポリプロピレン等の熱可塑性樹脂をシート４として使用することができる。さらに、熱可塑性樹脂を織布クロスにコーティングした複合材料をシート４として使用したり、遠赤外線発生シートを使用したりすることも好ましい。なお、シート４の色は、太陽熱を吸収しやすい黒色系が好ましい。
【００１７】
張力発生手段としてのエアシリンダ５は、図３に示すように、主にシリンダ５１とロッド５２とから構成される。シリンダ５１の基端側は、枠体７０に回動自在に固定される。ロッド５２の先端側には、シート４が連結されたバー６が連結される。したがって、手動又は自動で、シリンダ５１のロッド側にエアが送られるとロッド５２が基端側に縮んでシート４が緊張状態とされ、シリンダ５１のキャップ側にエアが送られるとロッド５２が先端側に伸びてシート４が弛緩状態となる。なお、張力発生手段は、エアシリンダ５に限定されるものではなく、シート４の端部のバー６を往復移動させることができればどのような構成であってもよい。この意味で、移動手段、往復移動手段と称することもできる。張力発生手段は、この他にも、例えば油圧シリンダであってもよいし、巻取リールであってもよい。
【００１８】
また、張力発生手段としてのエアシリンダ５は、弛緩状態と緊張状態を繰り返すサイクル運転によって、シート４を繰り返し往復移動させるようになっていることが好ましい。すなわち、エアシリンダ５を所定の回数伸縮させることによって、シート４を所定の回数だけエアシリンダ５のストローク長だけ往復移動させて、シート４の弛緩状態と緊張状態を繰り返し発生させる。
【００１９】
加えて、隣接するエアシリンダ５間では、サイクル運転のタイミングを所定の時間差をつけて、軒方向の雪どうしを雪割りするようになっている。例えば、隣接するエアシリンダ５、５について、一方のエアシリンダ５が緊張状態であれば他方のエアシリンダ５が弛緩状態となるように半サイクル分だけ時間をずらすことで、積雪Ｓ０に横方向（軒方向）の雪割り（雪割り線（亀裂）は縦方向に入る）を促進することができる。なお、所定の時間差は、上述した半サイクルに相当する時間に限定されるものではなく、任意に設定することができる。
【００２０】
この他、滑雪装置２は、屋根１０への積雪が１００（ｍｍ）から１５０（ｍｍ）になったことを検出する検出手段をさらに備えて、検出手段からの積雪の検出信号を受けて上述のサイクル運転を自動的に開始するようにされていてもよい。
【００２１】
さらに、図示しないが、エアシリンダ５の作動中（サイクル運転の作動中）に、報知手段の１つである警告灯（いわゆるパトランプ）を点灯させたりブザーを鳴らしたりして、滑雪装置２によって屋根１０から雪が滑落してくるタイミングを周囲に知らせて注意喚起するようになっていることが好ましい。
【００２２】
（作用）
次に、図５及び図６を用いて、本実施例の滑雪装置２の作用について説明する。滑雪装置２は、所定の積雪深さとなるまでの大部分の時間は弛緩状態とされ、所定の積雪深さになると手動又は自動で緊張状態とされる。さらに、弛緩状態と緊張状態を繰り返すサイクル運転をすることもできる。図５に示すシート４の弛緩状態では、エアシリンダ５は伸びた状態であり、シート４は屋根１０に沿うように弛んでいる。したがって、シート４の傾斜角度は、屋根１０の傾斜角度と略同一となっている。そして、雪が降ってくると、滑雪装置２が作動する時点まで、屋根１０の上に積雪Ｓ０が生じるようになる。積雪Ｓ０は、縦方向には一方の軒先部１０ｂから棟部１０ａを経て他方の軒先部１０ｃまで一体に繋がった状態で、横方向にも一方の妻から他方の妻まで一体に繋がった状態で形成される。
【００２３】
図６に示すシート４の緊張状態では、エアシリンダ５は縮んだ状態であり、シート４は屋根１０の棟部１０ａとガイドローラ３、３の間でピンと張られており、屋根１０との間に隙間を生じている。したがって、シート４の傾斜角度は、屋根１０の傾斜角度よりも小さくなっている。また、シート４は、エアシリンダ５のストロークに相当する移動量だけ、往復移動する。さらに、滑雪させる際には、弛緩状態と緊張状態を繰り返すサイクル運転をさせることも好ましい。このように、滑雪装置２によれば、積極的に雪を移動させることによって、積雪Ｓ１、Ｓ２を分断する「雪割り」を促進することで、効率の良い滑雪を実現している。すなわち、本実施例の滑雪装置２によれば、シート４の形状・角度が変化することによる縦方向の雪割り作用、隣接するシート４間でのすれ違い動作による雪割り作用、シート４が上下移動することによる積雪のリフトアップ作用、シート４が往復移動することによる摩擦熱による融雪作用、棟部１０ａを通過する際の形状（勾配）変化による雪割り作用、などによって効率よく滑雪（雪下ろし）させることができるのである。
【００２４】
次に、本実施例の滑雪装置２が奏する効果を列挙して説明する。
（１）上述してきたように、本実施例の滑雪装置２は、建物１の屋根１０に設置される滑雪装置２である。この滑雪装置２は、建物１の一方の軒先部１０ｂ及び他方の軒先部１０ｃにおいて、それぞれ屋根１０面よりも上方に配置される一方のガイドローラ３及び他方のガイドローラ３と、一方のガイドローラ３から建物の棟部１０ａを経て他方のガイドローラ３まで連続して敷設されるシート４と、シート４を引っ張る張力発生手段５であって、一方のガイドローラ３と他方のガイドローラ３の間でシート４が緩んだ弛緩状態とシート４が張った緊張状態とを発生させる張力発生手段５と、を備えている。このため、雪割りを促進することによって雪どうしの付着力を小さくして、屋根１０に積もった雪を滑雪させることができる。
【００２５】
（２）また、シート４は、軒方向に複数に分割されているとともに、張力発生手段としてのエアシリンダ５は、シート４ごとに複数設置されていることで、シートごとに雪割りすることとなるため、エアシリンダ５やガイドローラ３の構成を比較的に小規模なものにすることができる。このため、建物１への負担を軽減することができる。
【００２６】
（３）さらに、張力発生手段としてのエアシリンダ５は、隣接するシート４のエアシリンダ５に対して、所定の時間差をつけてシート４を引っ張って緊張状態にするようになっていることで、各シート４を時間差で揺動させてすれ違い作用によって幅方向の雪割りを促進するようになっている。
【００２７】
（４）また、シート４は、隣接するシート４との間に、軒方向に所定の隙間を有するように構成されているため、シート４どうしが凍結によって固着することを防止できるうえ、妻側から風が入り込んでも風が通り抜けるようになるため、個々のシート４が受ける風圧力を軽減することができる。
【００２８】
（５）さらに、ガイドローラ３の軒方向の幅Ｗｒは、シート４の軒方向の幅Ｗｓよりも狭くなるように形成されていることで、図４に示すように、シート４の脇からシート４とガイドローラ３が形成した屋根１０との隙間に風が入り込むことを防止できる。
【００２９】
以上、図面を参照して、本発明の実施例を詳述してきたが、具体的な構成は、この実施例に限らず、本発明の要旨を逸脱しない程度の設計的変更は、本発明に含まれる。
【００３０】
例えば、実施例では、シート４の他方の端部に巻き取りリール８を設置する場合について説明したが、これに限定されるものではない。シート４の他方の端部は、移動しにくいように固定できる態様であればどのように固定されていてもよい。
【符号の説明】
【００３１】
１          建物
１０        屋根
１０ａ      棟部
１０ｂ、１０ｃ  軒先部
２          滑雪装置
３          ガイドローラ
４          シート
５          エアシリンダ（張力発生手段）
６          バー
７０        枠体
７１        支持体
８          巻き取りリール
【図１】
2018066133.tif 000003
【図２】
2018066133.tif 000004
【図３】
2018066133.tif 000005
【図４】
2018066133.tif 000006
【図５】
2018066133.tif 000007
【図６】
2018066133.tif 000008
【手続補正書】
【提出日】平成29年2月27日(2017.2.27)
【手続補正１】
【補正対象書類名】特許請求の範囲
【補正対象項目名】全文
【補正方法】変更
【補正の内容】
【特許請求の範囲】
【請求項１】
建物の屋根に設置される滑雪装置であって、
建物の一方の軒先部及び他方の軒先部において、それぞれ屋根面よりも上方に配置される一方のガイドローラ及び他方のガイドローラと、
前記一方のガイドローラから建物の棟部を経て前記他方のガイドローラまで連続して敷設されるシートと、
前記シートを引っ張る張力発生手段であって、前記一方のガイドローラと前記他方のガイドローラの間で前記シートが緩んだ弛緩状態と前記シートが張った緊張状態とを発生させる張力発生手段と、を備え、
前記ガイドローラの軒方向の幅は、前記シートの軒方向の幅よりも狭くなるように形成されている、滑雪装置。
【請求項２】
前記シートは、軒方向に複数に分割されているとともに、前記張力発生手段は、シートごとに複数設置されている、請求項１に記載された滑雪装置。
【請求項３】
前記張力発生手段は、隣接する前記シートの前記張力発生手段に対して、所定の時間差をつけて前記シートを引っ張って緊張状態にするようになっている、請求項２に記載された滑雪装置。
【請求項４】
前記シートは、隣接する前記シートとの間に、軒方向に所定の隙間を有するように構成されている、請求項２又は請求項３に記載された滑雪装置。